(57)【要約】【課題】光学組立体の外観を向上させる。【解決手段】光学部材および光学部材を保持する保持部材を備えた光学組立体であって、光学部材は、光束を入射させる入射面および当該光束を射出させる射出面を含む一対の光学面と、一対の光学面の外周に設けられて入射面から光学部材の光軸方向についてオフセットしたオフセット面とを有し、保持部材は、光学部材のオフセット面の外周に沿って設けられた枠部と、光学部材の光軸方向に交差する方向に枠部から延在し、オフセット面に当接する当接面と、枠部から光軸方向に延在し、光学部材に向かってかしめられて光学部材を当接面に押し付けるかしめ部とを有する。【選択図】図３
2014182245.tif 000002
【特許請求の範囲】
【請求項１】
光学部材および前記光学部材を保持する保持部材を備えた光学組立体であって、
前記光学部材は、
光束が入射する入射面および当該光束が射出する射出面を含む一対の光学面と、
前記一対の光学面の外周に設けられて前記入射面から前記光学部材の光軸方向についてオフセットしたオフセット面と
を有し、
前記保持部材は、
前記光学部材の前記オフセット面の外周に沿って設けられた枠部と、
前記光学部材の前記光軸方向に交差する方向に前記枠部から延在し、前記オフセット面に当接する当接面と、
前記枠部から前記光軸方向に延在し、前記光学部材に向かってかしめられて前記光学部材を前記当接面に押し付けるかしめ部と
を有する光学組立体。
【請求項２】
前記当接面は、前記光学部材の全周にわたって前記光学部材に当接する請求項１に記載の光学組立体。
【請求項３】
前記かしめ部は、前記光学部材の全周にわたって前記光学部材に当接する請求項１または請求項２に記載の光学組立体。
【請求項４】
前記オフセット面は、前記光学部材の径方向について前記入射面の外周よりも径方向内側まで延在し、前記入射面および前記オフセット面の境界は、前記入射面により前記光学部材に対する前記光軸方向の視線から隠蔽される請求項１から請求項３までのいずれか一項に記載の光学組立体。
【請求項５】
前記保持部材は、前記入射面と前記オフセット面との境界を前記光学部材に対する前記光軸方向の視線からマスクするマスク部を更に有する請求項１から請求項３までのいずれか一項に記載の光学組立体。
【請求項６】
前記入射面は前記射出面よりも広い請求項１から請求項５までのいずれか一項に記載の光学組立体。
【請求項７】
請求項１から請求項６までのいずれか一項に記載の光学組立体を備える光学機器。
【発明の詳細な説明】
【技術分野】
【０００１】
本発明は光学組立体および光学機器に関する。
【背景技術】
【０００２】
レンズ枠の一部をかしめてレンズを固定するレンズ固定構造がある（特許文献１参照）。
［特許文献１］特開２０１２−１２３２２０号公報
【発明の概要】
【発明が解決しようとする課題】
【０００３】
ユーザが前面側からレンズを見た場合にかしめ部分が見えると、製品の美観が損ねられる。
【課題を解決するための手段】
【０００４】
本発明の第一態様によると、光学部材および光学部材を保持する保持部材を備えた光学組立体であって、光学部材は、光束を入射させる入射面および当該光束を射出させる射出面を含む一対の光学面と、一対の光学面の外周に設けられて入射面から光学部材の光軸方向についてオフセットしたオフセット面とを有し、保持部材は、光学部材のオフセット面の外周に沿って設けられた枠部と、光学部材の光軸方向に交差する方向に枠部から延在し、オフセット面に当接する当接面と、枠部から光軸方向に延在し、光学部材に向かってかしめられて光学部材を当接面に押し付けるかしめ部とを有する光学組立体が提供される。
【０００５】
本発明の第二態様によると、上記光学組立体を備える光学機器が提供される。
【０００６】
上記の発明の概要は、本発明の必要な特徴の全てを列挙したものではない。これら特徴群のサブコンビネーションもまた発明となり得る。
【図面の簡単な説明】
【０００７】
【図１】一眼レフカメラ１００の模式的断面図である。
【図２】光学組立体４０１の分解斜視図である。
【図３】組み立て過程にある光学組立体４０１の部分断面図である。
【図４】組み立て過程にある光学組立体４０１の部分断面図である。
【図５】光学組立体４０１の部分断面図である。
【図６】光学組立体４０２の部分断面図である。
【図７】光学組立体４０３の部分断面図である。
【発明を実施するための形態】
【０００８】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【０００９】
図１は、一眼レフカメラ１００の模式的断面図である。一眼レフカメラ１００は、レンズユニット２００およびカメラボディ３００を含む。
【００１０】
なお、記載を簡潔にする目的で、以下の説明においては、カメラボディ３００に対してレンズユニット２００が取り付けられた側を、一眼レフカメラ１００の前側または先端と記載する。また、レンズユニット２００に対してカメラボディ３００が配置された側を、一眼レフカメラ１００の後側または背面と記載する。
【００１１】
レンズユニット２００は、固定筒２１０、光学組立体４０１、レンズ群２３０、２４０、レンズ側制御部２５０およびレンズ側マウント部２６０を有する。光学組立体４０１およびレンズ群２３０、２４０は、固定筒２１０の内側で光軸Ｘに沿って配列されて光学系を形成する。レンズ群２３０、２４０の一部または全部は、光軸Ｘに沿って移動させることができる。これにより、光学系の倍率または合焦位置が変化する。
【００１２】
光学組立体４０１は、レンズユニット２００の先端において固定筒２１０に対して固定される。光学組立体４０１は、光学部材であるレンズ４２０と、レンズ４２０を保持する保持枠４１０とを含み、保持枠４１０を固定筒２１０に対して固定することにより、レンズ４２０が固定筒２１０に対して位置決めされる。このような構造により、レンズ４２０のレンズユニット２００に対する脱着および調整を容易にしている。
【００１３】
固定筒２１０の後端側に配されたレンズ側マウント部２６０は、カメラボディ３００のボディ側マウント部３６０と嵌まり合う。これにより、固定筒２１０がカメラボディ３００に対して固定され、レンズユニット２００とカメラボディ３００とが結合される。
【００１４】
レンズ側マウント部２６０およびボディ側マウント部３６０の結合は、予め定められた操作により解除できる。カメラボディ３００には、同じ規格のレンズ側マウント部２６０を有する他のレンズユニット２００も装着できる。
【００１５】
レンズ側制御部２５０は、レンズユニット２００自体の動作制御と共に、カメラボディ３００のボディ側制御部３２２との通信も担う。これにより、カメラボディ３００に装着されたレンズユニット２００は、カメラボディ３００と連携して動作する。
【００１６】
カメラボディ３００は、ボディ側マウント部３６０についてレンズユニット２００と反対側にミラーユニット３８０を備える。ミラーユニット３８０の図中上方にはフォーカシングスクリーン３４６が配される。フォーカシングスクリーン３４６の更に上方には、一眼レフカメラ１００の前方から後方に向かって順次、ペンタプリズム３４４およびファインダ光学系３４２が配される。ファインダ光学系３４２の後端は、カメラボディ３００の背面にファインダ３４０として露出する。
【００１７】
また、ペンタプリズム３４４から射出される被写体光束の一部は、ファインダ光学系３４２の上方に配された測光部３５０に受光される。カメラボディ３００のレリーズボタンが半押し状態になると、測光部３５０は、受光した被写体光束の一部から被写体輝度を検出してボディ側制御部３２２に通知する。
【００１８】
カメラボディ３００において、ミラーユニット３８０の後方には、フォーカルプレンシャッタ３１０、光学フィルタ３７２および撮像素子３７０が順次配される。フォーカルプレンシャッタ３１０は、ミラーユニット３８０に対して入射した被写体光束に対して、撮像素子３７０を開放または閉塞する。撮像素子３７０は、ＣＣＤセンサ、ＣＭＯＳセンサなどの光電変換素子を含む。
【００１９】
光学フィルタ３７２は、撮像素子３７０の直前に設置され、撮像素子３７０に入射する被写体光束から赤外線および紫外線を除去する。また、光学フィルタ３７２は、撮像素子３７０の表面を保護する保護ガラスとしても機能する。更に、光学フィルタ３７２は、ローパスフィルタとして被写体光束の空間周波数を減じてモアレの発生を抑制する。
【００２０】
撮像素子３７０の更に後方には、主基板３２０および背面表示部３３０が順次配される。主基板３２０には、ボディ側制御部３２２、画像処理部３２４等の電子回路が実装される。背面表示部３３０は、液晶表示板等を含み、カメラボディ３００の背面側に画像を表示する。
【００２１】
カメラボディ３００においてミラーユニット３８０は、メインミラー３８１およびサブミラー３８４を有する。メインミラー３８１は、メインミラー回動軸３８３により軸支されたメインミラー保持枠３８２に支持される。メインミラー保持枠３８２は、側面に設けられた駆動ピン３８７を通じて駆動され、メインミラー回動軸３８３の廻りを回動する。
【００２２】
サブミラー３８４は、サブミラー回動軸３８６により軸支されたサブミラー保持枠３８５に支持される。サブミラー回動軸３８６はメインミラー保持枠３８２により支持される。よって、メインミラー保持枠３８２が回動した場合、サブミラー３８４およびサブミラー保持枠３８５はメインミラー保持枠３８２と共に移動する。また、サブミラー保持枠３８５は、メインミラー３８１の回動に伴って動作するリンク機構により、メインミラー３８１に対しても回動する。
【００２３】
図示のミラーユニット３８０において、メインミラー保持枠３８２の前端は、ミラーユニット３８０の図中下部に配された位置決めピン３８８に当接する。これにより、メインミラー３８１は、レンズユニット２００を通じて入射する被写体光束を斜めに横切る観察位置に位置決めされる。
【００２４】
また、観察位置にあるメインミラー３８１は、入射した被写体光束を反射してフォーカシングスクリーン３４６に導く。フォーカシングスクリーン３４６は、撮像素子３７０の撮像面と光学的に共役な位置にあり、レンズユニット２００の光学系が形成する被写体像を可視化する。
【００２５】
フォーカシングスクリーン３４６に結ばれた被写体像は、ペンタプリズム３４４およびファインダ光学系３４２を通じてファインダ３４０から観察される。ペンタプリズム３４４を通じた被写体像は、ファインダ３４０から正立正像として観察される。
【００２６】
また、メインミラー３８１が観察位置にある場合、メインミラー３８１の一部に形成されたハーフミラー領域を透過した一部の被写体光束は、サブミラー３８４に反射される。サブミラー３８４に反射された被写体光束は、ミラーユニット３８０の図中下方に配された合焦光学系３９０に入射する。
【００２７】
ここで、カメラボディ３００のシャッタボタンが半押し状態になると、合焦位置検出部３９２は、合焦光学系３９０を通じて受光した被写体光束から、レンズユニット２００の光学系におけるデフォーカス量を検出して、ボディ側制御部３２２に通知する。ボディ側制御部３２２は、レンズ側制御部２５０と通信して、検知されたデフォーカス量を打ち消すように、レンズ群２３０、２４０のいずれかを移動させる。こうして、レンズユニット２００の光学系は、被写体に対して合焦する。
【００２８】
また、ボディ側制御部３２２は、測光部３５０から通知された被写体輝度に応じて、絞り値、シャッタ速度、ＩＳＯ感度等の撮像条件を算出する。これにより、一眼レフカメラ１００は、適切な撮影条件で被写体を撮影できる状態になる。
【００２９】
続いて、一眼レフカメラ１００のシャッタボタンが深く押し込まれると、メインミラー３８１は、図中で時計回りに回動して、ミラーユニット３８０の上部で略水平になる撮影位置に移動する。撮影位置まで回動したメインミラー３８１は、メインミラー保持枠３８２の先端近傍をストッパ３８９に当接させて停止する。
【００３０】
メインミラー３８１が撮影位置に移動した場合、サブミラー保持枠３８５も、メインミラー保持枠３８２と共に上昇し、更に、サブミラー回動軸３８６の回りに回動して略水平になる。これにより、メインミラー３８１およびサブミラー３８４は被写体光束の光路から退避する。よって、ミラーユニット３８０に入射した被写体光束は、ミラーユニット３８０内を直進する。
【００３１】
メインミラー３８１およびサブミラー３８４が被写体光束の光路から退避すると、フォーカルプレンシャッタ３１０が開く。これにより、レンズユニット２００から入射した被写体光束は、光学フィルタ３７２を通過して撮像素子３７０に受光される。
【００３２】
撮像素子３７０は、受光した被写体光束を電気信号に変換して出力する。撮像素子３７０から出力された電気信号は画像処理部３２４において画像データに変換される。画像処理部３２４において生成された画像データは、フラッシュメモリ等の二次記録媒体に画像ファイルとして保存される。撮影が完了すると、フォーカルプレンシャッタ３１０が閉じ、メインミラー３８１およびサブミラー３８４は再び観察位置に復帰する。
【００３３】
図２は、光学組立体４０１の分解斜視図である。図３は、組み立て過程にある光学組立体４０１の部分断面図である。これらの図に示すように、光学組立体４０１は、保持枠４１０およびレンズ４２０を含む。
【００３４】
レンズ４２０は、全体として、光軸Ｘに直交する円盤状の形状を有する。レンズ４２０における円形の面は、それぞれ、光束が入射または射出される一対の光学面をなす。図においては、光束が射出される射出面４２３が見えている。
【００３５】
レンズ４２０の外周には、光軸Ｘと平行な方向に隣接して、大径コバ面４２２および小径コバ面４２４が形成される。レンズ４２０に対する被写体光束の入射側に位置する小径コバ面４２４の直径は、レンズ４２０に対する被写体光束の射出面４２３側に位置する大径コバ面４２２の直径よりも小さい。
【００３６】
このため、大径コバ面４２２と小径コバ面４２４の境界には、レンズ４２０の外周にそって、レンズ４２０の光軸Ｘと直交する方向に設けられたオフセット面４２６が全周にわたって形成される。また、レンズ４２０の大径コバ面４２２の射出面４２３側の端部には、全周にわたる面取りにより形成された被押圧面４２８が設けられる。
【００３７】
保持枠４１０は、全体として、レンズ４２０の光軸Ｘを中心とする円筒状の形状を有する。保持枠４１０は、光軸Ｘと平行な方向に順次配列された小径枠部４１４および大径枠部４１２を含む。光学組立体４０１に対する被写体光束の入射側に位置する小径枠部４１４の内径は、光学組立体４０１に対する被写体光束の射出側に位置する大径枠部４１２の内径よりも小さい。
【００３８】
大径枠部４１２と小径枠部４１４の境界には、レンズ４２０の光軸Ｘと直交する方向に延在する当接面４１６が形成される。また、保持枠４１０レンズ４２０の大径枠部４１２側の端部には、光軸Ｘ方向と平行に保持枠４１０の後方に延伸するかしめ部４１８が設けられる。
【００３９】
保持枠４１０における大径枠部４１２の内径Ｒ１は、レンズ４２０における大径コバ面４２２の径Ｒ１と等しい。これに対して、保持枠４１０における小径枠部４１４の内径Ｒ２は、レンズ４２０における大径コバ面４２２の径Ｒ３よりも大きい。よって、保持枠４１０にレンズ４２０が装入された場合、大径枠部４１２は、レンズ４２０の全周において、オフセット面４２６の外周に沿って配される。
【００４０】
レンズ４２０は、光束を透過させる一対の光学面として、入射面４２１および射出面４２３を有する。入射面４２１は、射出面４２３よりも径が大きい。また、レンズ４２０において、オフセット面４２６は、入射面４２１から後方にオフセットされ、光学面である入射面４２１および射出面４２３よりも外周側に配される。
【００４１】
レンズ４２０が装入される前の保持枠４１０においては、かしめ部４１８はまだかしめられていない。よって、この状態のかしめ部４１８の内径は、大径枠部４１２の内径Ｒ１と等しいか、より大きくてもよい。これにより、図中に矢印Ａにより示すように、保持枠４１０の後方側から光軸Ｘと平行な方向に、入射面４２１を前方に向けたレンズ４２０を保持枠４１０に装入できる。
【００４２】
なお、レンズ４２０において、小径コバ面４２４とオフセット面４２６との間には、滑らかに連続した曲面部４２５が設けられる。これにより、レンズ４２０が加工される場合および外力を受けた場合の応力集中が緩和される。
【００４３】
図４は、組み立て過程にある光学組立体４０１の部分断面図である。図２および図３と共通の要素には同じ参照番号を付して重複する説明を省く。
【００４４】
レンズ４２０が装入された保持枠４１０において、大径枠部４１２は、レンズ４２０の大径コバ面４２２に略密着する。ここで、「略密着」とは、保持枠４１０とレンズ４２０との公差による間隙を除いて両者が密着することを意味する。これにより、レンズ４２０は、径方向について、保持枠４１０により位置決めされる。
【００４５】
また、レンズ４２０は、レンズ４２０のオフセット面４２６が保持枠４１０の当接面４１６に当接するまで装入される。これにより、レンズ４２０は、光軸Ｘと平行な方向について、保持枠４１０により位置決めされる。
【００４６】
なお、既に説明した通り、保持枠４１０の小径枠部４１４の内径Ｒ２は、レンズ４２０の小径コバ面４２４の直径Ｒ３よりも大きい。これにより、保持枠４１０の当接面４１６が、レンズ４２０のオフセット面４２６に隣接する曲面部４２５に当接することが回避される。よって、当接面４１６は、光軸Ｘに直交した平坦なオフセット面４２６に均一な強さで当接してレンズ４２０を位置決めする。
【００４７】
図５は、組み立てられた光学組立体４０１の部分断面図である。光学組立体４０１の保持枠４１０においては、かしめ部４１８がかしめ加工により縮径され、レンズ４２０の被押圧面４２８を、レンズ４２０の全周にわたって光軸Ｘと平行な方向に押圧する。これにより、レンズ４２０のオフセット面４２６は、保持枠４１０の当接面４１６に、レンズ４２０の全周で押し付けられ、その状態が維持される。
【００４８】
なお、かしめ部４１８は、かしめ部４１８が熱可塑性樹脂により形成されている場合には加熱した治具による熱かしめによりかしめ加工する。また、かしめ部４１８が金属材料により形成されている場合は、加圧による塑性変形でかしめ加工する。
【００４９】
このように、光学組立体４０１においては、レンズ４２０が、保持枠４１０に対して精度よく位置決めされ、その状態が維持されている。よって、保持枠４１０の外形を基準にしてレンズ４２０を位置決めすることができる。このため、例えばレンズユニット２００にレンズ４２０を組み込む場合に、固定筒２１０に対する位置決めの案内となる形状を保持枠４１０の外周面に予め設けておけば、レンズ４２０の位置決め調整を大幅に簡略化できる。
【００５０】
また、図中に点線Ｌにより示すように、入射面４２１側で太く、射出面４２３側で細くなる有効光線の光束がレンズ４２０を透過する。光学組立体４０１において保持枠４１０は、レンズ４２０の入射面４２１の外周から径方向外側に位置するオフセット面４２６、大径コバ面４２２および被押圧面４２８においてレンズ４２０を拘束する。よって、保持枠４１０が、レンズ４２０における有効光線Ｌの光路を狭めることが防止される。
【００５１】
更に、光学組立体４０１においては、かしめにより表面性状が荒れるかしめ部４１８が、レンズ４２０の射出面４２３側に配される。よって、光学組立体４０１がレンズユニット２００の最先端に配された場合であっても、レンズユニット２００の外観劣化が防止される。
【００５２】
図６は、他の光学組立体４０２の部分断面図である。光学組立体４０２は、下記に説明する部分を除くと、図３等に示した光学組立体４０１と同じ構造を有する。そこで、共通の要素には同じ参照番号を付して重複する説明を省く。
【００５３】
光学組立体４０２において、保持枠５１０は、小径枠部４１４の内側に、径方向内側に向かって突出するマスク部４１１を有する。マスク部４１１は、保持枠５１０の内側に全周にわたって設けられる。マスク部４１１は、光学組立体４０２において、レンズ４２０のオフセット面４２６および曲面部４２５を、入射面４２１側からの視線に対してマスクする。
【００５４】
これにより、光学組立体４０２においては、レンズ４２０の入射面４２１とオフセット面４２６との境界に位置する曲面部４２５、小径コバ面４２４等が、入射面４２１側からの視線からマスクされる。よって、光学組立体４０２がレンズユニット２００の最先端に配された場合に、光学組立体４０２がレンズユニット２００の外観劣化が防止される。
【００５５】
図７は、更に他の光学組立体４０３の部分断面図である。光学組立体４０３は、下記に説明する部分を除くと、図３等に示した光学組立体４０１と同じ構造を有する。そこで、共通の要素には同じ参照番号を付して重複する説明を省く。
【００５６】
光学組立体４０３において、レンズ５２０の小径コバ面４２４は、光学組立体４０１、４０２のレンズ４２０と同じ径Ｒ３を有する。よって、光学組立体４０３におけるレンズ５２０の入射面４２１の広さは、他の光学組立体４０１、４０２のレンズ４２０の広さと変わらない。
【００５７】
一方、レンズ５２０は、小径コバ面４２４に全周にわたって周溝４２７を有する。周溝４２７は、小径コバ面４２４の後端側において、オフセット面４２６に隣接して配される。これにより、オフセット面４２６は、図中に二点鎖線Ｂで示すように、小径コバ面４２４を図中水平に延長した位置を超えて、入射面４２１の外周の内側まで平坦に延在する。
【００５８】
よって、保持枠５１１の当接面４１６に対する接触長さを、光学組立体４０１、４０２の保持枠４１０、５１０の場合と同じにした場合、当接面４１６を光軸Ｘに近づけることができる。また、大径コバ面４２２において、レンズ５２０の径Ｒ４を、光学組立体４０１、４０２のレンズ４２０よりも縮小できる。
【００５９】
これにより、図中に点線Ｃで示す光学組立体４０１の外形と比較すると判るように、保持枠４１０、５１０と厚さを変えることなく保持枠５１１を小径化できる。また、小径化された光学組立体４０３を用いることにより、レンズユニット２００の外径も小径化できる。
【００６０】
更に、保持枠５１１の小径枠部４１４を、レンズ５２０の小径コバ面４２４の直近に配することができるので、レンズ４２０における入射面４２１およびオフセット面４２６の境界が、入射面４２１自体によって、光学部材に対する光軸Ｘ方向の視線から隠蔽される。よって、光学組立体４０３をレンズ５２０の入射面４２１側から見た場合の美観も向上される。
【００６１】
このように、レンズ４２０に周溝４２７を設けることにより、保持枠４１０の強度および剛性を低下させることなく、また、レンズ４２０の入射面４２１の面積を縮小することなく、光学組立体４０３を小径化できる。また、光学組立体４０２と比較すると、保持枠４１０の断面形状が単純化されるので、保持枠４１０自体、または、保持枠４１０の成形金型を製造する場合の工数も削減される。
【００６２】
以上の説明では、一眼レフカメラ１００のレンズユニット２００における光学組立体４０１、４０２、４０３を例にあげて説明した。しかしながら、上記のような光学組立体４０１、４０２、４０３の構造は、一眼レフカメラ１００、ノンレフレックスカメラ、レンズ一体型カメラ等の撮像装置に限らず、光学部材を備えた多くの光学機器、例えば、望遠鏡、測量器、顕微鏡等に適用できる。
【００６３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００６４】
１００  一眼レフカメラ、２００  レンズユニット、２１０  固定筒、２３０、２４０  レンズ群、２５０  レンズ側制御部、２６０  レンズ側マウント部、３００  カメラボディ、３１０  フォーカルプレンシャッタ、３２０  主基板、３２２  ボディ側制御部、３２４  画像処理部、３３０  背面表示部、３４０  ファインダ、３４２  ファインダ光学系、３４４  ペンタプリズム、３４６  フォーカシングスクリーン、３５０  測光部、３６０  ボディ側マウント部、３７０  撮像素子、３７２  光学フィルタ、３８０  ミラーユニット、３８１  メインミラー、３８２  メインミラー保持枠、３８３  メインミラー回動軸、３８４  サブミラー、３８５  サブミラー保持枠、３８６  サブミラー回動軸、３８７  駆動ピン、３８８  位置決めピン、３８９  ストッパ、３９０  合焦光学系、３９２  合焦位置検出部、４０１、４０２、４０３  光学組立体、４１０、５１０、５１１  保持枠、４１１  マスク部、４１２  大径枠部、４１４  小径枠部、４１６  当接面、４１８  かしめ部、４２０、５２０  レンズ、４２１  入射面、４２２  大径コバ面、４２３  射出面、４２４  小径コバ面、４２５  曲面部、４２６  オフセット面、４２７  周溝、４２８  被押圧面
【図１】
2014182245.tif 000003
【図２】
2014182245.tif 000004
【図３】
2014182245.tif 000005
【図４】
2014182245.tif 000006
【図５】
2014182245.tif 000007
【図６】
2014182245.tif 000008
【図７】
2014182245.tif 000009